(57)【要約】【課題】  内殻と外殻の二層を有する材料からなり、二箇所以上のウイープホールを有する容器（Ａ）の内殻部からの漏洩を検知するシステムであって、目視では確認できないガス等の微量な漏洩も早期に検知可能となり、導管（Ｃ）により検知容器（Ｂ）に集合して複数のウイープホールからの漏洩の有無を、一箇所で、呈色等により簡単に発見可能であり、安価且つ容易に実施できる。【解決手段】  下記（１）〜（３）の特徴を有する検知システム。  （１）：ウイープホール付きの容器（Ａ）の外殻のウイープホール出口部分から検知容器（Ｂ）に通ずる導管（Ｃ）を有すること  （２）：容器（Ａ）から漏出する流体を検知できる検知剤が収納されており、検知剤による漏洩の検知又は非検知の状態が、容器（Ａ）の外側から目視で確認できる検知容器（Ｂ）を有すること  （３）：二以上の導管（Ｃ）が一の検知容器（Ｂ）に通じていること【選択図】  図１
2005189223.tif 000002
【特許請求の範囲】
【請求項１】
少なくとも内殻と外殻の二層を有する材料からなり、二箇所以上のウイープホールを有する容器（Ａ）の内殻部からの漏洩を検知するシステムにおいて、下記（１）〜（３）の特徴を有する検知システム。
（１）：ウイープホール付きの容器（Ａ）の外殻のウイープホール出口部分から検知容器（Ｂ）に通ずる導管（Ｃ）を有すること
（２）：容器（Ａ）から漏出する流体を検知できる検知剤が収納されており、検知剤による漏洩の検知又は非検知の状態が、容器（Ａ）の外側から目視で確認できる検知容器（Ｂ）を有すること
（３）：二以上の導管（Ｃ）が一の検知容器（Ｂ）に通じていること
【請求項２】
容器（Ａ）がクラッド材またはライニング材を用いたものである請求項１記載のシステム。
【発明の詳細な説明】
【技術分野】
【０００１】
本発明は、検知システムに関するものである。更に詳しくは、本発明は、少なくとも内殻と外殻の二層を有する材料からなり、二箇所以上のウイープホールを有する容器（Ａ）の内殻部からの漏洩を検知するシステムであって、目視では確認できないガス等の微量な漏洩も早期に検知可能となり、また、複数の導管（Ｃ）を検知容器（Ｂ）に集合してウイープホールからの漏洩の有無を、一箇所で、呈色等により簡単に発見可能であり、安価且つ容易に実施できるという優れた効果を有する検知システムに関するものである。
【背景技術】
【０００２】
少なくとも内殻と外殻の二層を有する材料からなり、二箇所以上のウイープホールを有する容器（Ａ）は、蒸留塔や貯槽、反応器等の設備に用いられる。ここで、ウイープホールとは検知穴又は知らせ穴を意味する。かかる容器には、ウイープホールが積極的な漏洩の検知に用いられないという問題点があった。その問題を解決する方法として、特許文献１にはタンク建設時に溶接部の点検に使用したテスト溝に検出用導管を接続し、この導管をタンク外に導いて漏洩検出器に接続し、タンク内の流体の漏洩を検出する技術が開示されている。また、特許文献２には耐食性材を耐圧母材にライニングあるいはクラッド接合させた部材を有する設備から、検知穴を介して、漏洩を検出する方法において、耐食性材と耐圧母材の間を減圧することによって漏洩を検知する技術が開示されている。しかしながら、これらの技術においては、複数のウイープホールを有する大型の設備の漏洩を検出する場合には、それぞれのウイープホールに対して検出用導管と漏洩検出器、あるいは減圧設備が必要となり、さらに漏洩検出器としてガスクロマトグラフィー、圧力変動検出器等の電気的及び／又は機械的なセンサーを用いた場合には、これらの保守管理のため、多大なコストを必要とするという点で改善が求められていた。
【０００３】
【特許文献１】特開昭５５−１５８５２９号公報
【特許文献２】特開平９−２９２３０１号公報
【発明の開示】
【発明が解決しようとする課題】
【０００４】
かかる状況において、本発明が解決しようとする課題は、少なくとも内殻と外殻の二層を有する材料からなり、二箇所以上のウイープホールを有する容器（Ａ）の内殻部からの漏洩を検知するシステムであって、目視では確認できないガス等の微量な漏洩も早期に検知可能となり、また、複数の導管（Ｃ）を検知容器（Ｂ）に集合してウイープホールからの漏洩の有無を、一箇所で、呈色等により簡単に発見可能であり、安価且つ容易に実施できるという優れた効果を有する検知システムを提供する点にある。
【課題を解決するための手段】
【０００５】
すなわち、本発明は、少なくとも内殻と外殻の二層を有する材料からなり、二箇所以上のウイープホールを有する容器（Ａ）の内殻部からの漏洩を検知するシステムであって、下記（１）〜（３）の特徴を有する検知システムに係るものである。
（１）：ウイープホール付きの容器（Ａ）の外殻のウイープホール出口部分から検知容器（Ｂ）に通ずる導管（Ｃ）を有すること
（２）：容器（Ａ）から漏出する流体を検知できる検知剤が収納されており、検知剤による漏洩の検知又は非検知の状態が、容器（Ａ）の外側から目視で確認できる検知容器（Ｂ）を有すること
（３）：二以上の導管（Ｃ）が一の検知容器（Ｂ）に通じていること
【発明の効果】
【０００６】
本発明により、少なくとも内殻と外殻の二層を有する材料からなり、二箇所以上のウイープホールを有する容器（Ａ）の内殻部からの漏洩を検知するシステムであって、目視では確認できないガス等の微量な漏洩も早期に検知可能となり、また、導管（Ｃ）により検知容器（Ｂ）に集合して複数のウイープホールからの漏洩の有無を、一箇所で、呈色等により簡単に発見可能であり、安価且つ容易に実施できるという優れた効果を有する検知システムを提供することができる。
【発明を実施するための最良の形態】
【０００７】
以下、本発明をより具体的に説明するが、もとより本発明はこれらに限定されるものではない。
【０００８】
本発明の対象は、少なくとも内殻と外殻の二層を有する材料からなり、二箇所以上のウイープホールを有する容器（Ａ）である。二層を有する材料としては、クラッド材あるいはライニング材等をあげることができる。容器（Ａ）としては、チタンやジルコニウム、タンタル等のクラッド材あるいはライニング材等を用いた蒸留塔や貯槽、反応器等の設備をあげることができる。クラッド材とは、ある金属を他の金属で全面にわたり被覆し、かつ、その境界面が金属組織的に接合している材料を意味する。ウイープホールとは検知穴又は知らせ穴を意味する。容器（Ａ）に設けられたウイープホールの数は、特に制限はないが、容器の大きさや溶接線の数により数個〜数百個程度が一般的である。かかる容器は、蒸留塔や貯槽、反応器等の設備に用いられる。
【０００９】
本発明のシステムは、（１）ウイープホール付きの容器（Ａ）の外殻のウイープホール出口部分から検知容器（Ｂ）に通ずる導管（Ｃ）を有するものである。  検知容器（Ｂ）としては、透明広口瓶等をあげることができる。検知容器（Ｂ）は、収納される検知剤の劣化等を防ぐため、ゴム栓等で密栓することが好ましい。導管（Ｃ）としては銅チューブ、ステンレスチューブ又はビニールチューブ等をあげることができる。導管（Ｃ）は漏洩箇所の特定が容易である場合には、検知容器（Ｂ）に通ずる前に、数本の導管（Ｃ）を合流させて検知容器（Ｂ）に通ずることも可能である。
【００１０】
本発明のシステムは、（２）検知容器（Ｂ）内には容器（Ａ）から漏出する流体を検知できる検知剤が収納されているものである。検知剤としてはフェノールフタレイン、メチルオレンジ等を指示薬として少量滴下した水溶液を封入することが好ましいが、容器（Ａ）からの流体の漏出の検知に適したものであれば液体、固体等の、いずれの態様の検知剤でも使用可能である。
【００１１】
本発明のシステムは、（３）二以上の導管（Ｃ）が一の検知容器（Ｂ）に通じているものである。
【図面の簡単な説明】
【００１２】
【図１】本発明のライニング材を用いた容器（Ａ）の、内殻部からの漏洩の検知システムの一例を示す。
【図２】本発明のクラッド材を用いた容器（Ａ）の、内殻部からの漏洩の検知システムの一例を示す。
【符号の説明】
【００１３】
１  二層を有する材料からなり、二箇所以上のウイープホールを有する容器
２  検知容器
３  検知剤
４  外殻溶接部
５  導管
６  ベント管
７  ゴム栓
８  内殻溶接部
【図１】
2005189223.tif 000003
【図２】
2005189223.tif 000004